(57)【要約】【課題】発光部材を設けた場合であっても、デザイン性が低下せず、吐水口から光が漏れることを抑制できる吐水装置を提供する。【解決手段】湯水を吐水する吐水装置１であって、吐水装置１の外観を構成するスパウト部材２と、スパウト部材２に設けられ、開口３０を有する吐水口部材３と、スパウト部材２の内部に設けられ、吐水口部材２に接続された流路部材４と、スパウト部材２の内部で且つ流路部材４と吐水口部材３との接続部の周縁部１６に設けられる発光部材８と、備え、スパウト部材２は、発光部材８の光をスパウト部材２の外部に導くようスパウト部材２の内部と外部を連通する連通孔２０を発光部材８近傍に有し、発光部材８よりも下流側において吐水口部材３とスパウト部材２の内周部を埋める遮光部材１１を備える。【選択図】図４
2018135721.tif 000002
【特許請求の範囲】
【請求項１】
湯水を吐水する吐水装置であって、
前記吐水装置の外観を構成するスパウト部材と、
前記スパウト部材に設けられ、吐水口を有する吐水口部材と、
前記スパウト部材の内部に設けられ、前記吐水口部材に接続された流路部材と、
前記スパウト部材の内部で且つ前記流路部材と前記吐水口部材との接続部の周縁部に設けられる発光部材と、備え、
前記スパウト部材は、前記発光部材の光を前記スパウト部材の外部に導くよう前記スパウト部材の内部と外部を連通する連通孔を前記発光部材近傍に有し、
前記発光部材よりも下流側において前記吐水口部材と前記スパウト部材の内周部を埋める遮光部材を備えることを特徴とする吐水装置。
【請求項２】
前記発光部材は、前記吐水口を上流側に投影した投影領域に設けられることを特徴とする請求項１に記載の吐水装置。
【請求項３】
前記発光部材は、前記吐水口部材に固定されていることを特徴とする請求項１に記載の吐水装置。
【発明の詳細な説明】
【技術分野】
【０００１】
本発明は、吐水装置に関する。
【背景技術】
【０００２】
従来、吐水装置において吐水口から吐水される湯水の温度をＬＥＤ等を用いて表示させる技術が知られている。例えば、使用者の手指を検知するセンサを設け、センサの出力信号に基づいて吐止水を行う吐水装置においては、使用者が温度調整を行なうことが少なく、どのような温度の水が吐水されるかわからないといった問題が発生し得るが、ＬＥＤ等で水温を視覚的に表示することで、使用者は湯が吐水されるのか水が吐水されるのかを認識することができ、吐水される水の温度に違和感が生じることを抑制できる。
【先行技術文献】
【特許文献】
【０００３】
【特許文献１】特開２０１０−１５９５７６号公報
【発明の概要】
【発明が解決しようとする課題】
【０００４】
特許文献１には、吐水装置の状態、より具体的には、発電や蓄電の状態を表示する発光部材が吐水装置の表面に設けられ、吐水装置の状態を使用者に認識させる技術が開示されている。
しかしながら、特許文献１は、発光部材（ＬＥＤ）が吐水装置の外部に露出しており、吐水装置の状態を使用者に認識させることができるものの、デザイン性が低下してしまう。また、吐水口から遠い部分に設けられており、水栓装置のデザイン（たとえば、手前に向かって曲線的な傾斜をつけた所謂グースネックタイプのデザイン）によっては視認性が悪化し、デザイン上の制約があるという課題が存在する。また、特許文献１に記載の技術をそのまま適用し、発光部材を吐水口付近に移動させると、発光部材の光が吐水口から漏れでてしまう恐れがある。
【０００５】
本発明は、上記に鑑みてなされたものであって、発光部材を設けた場合であっても、デザイン性が低下せず、吐水口から光が漏れることを抑制できる吐水装置を提供することを目的としている。
【課題を解決するための手段】
【０００６】
上記の目的を達成するために、本発明は、湯水を吐水する吐水装置であって、吐水装置の外観を構成するスパウト部材と、スパウト部材に設けられ、吐水口を有する吐水口部材と、スパウト部材の内部に設けられ、吐水口部材に接続された流路部材と、スパウト部材の内部で且つ流路部材と吐水口部材との接続部の周縁部に設けられる発光部材と、備え、スパウト部材は、発光部材の光をスパウト部材の外部に導くようスパウト部材の内部と外部を連通する連通孔を発光部材近傍に有し、発光部材よりも下流側において吐水口部材とスパウト部材の内周部を埋める遮光部材を備えることを特徴とする。
【０００７】
このように発光部材や連通孔を流路部材と吐水口部材の周縁部すなわち吐水口の近くに設けることで、使用者は発光部材からの光を目視しやすくなり、吐水口から吐水される湯水の温度を認識しやすくなる。また、発光部材をスパウト部材の内部に設けることにより、発光部材が吐水装置の外部に露出することなく、デザイン性が低下することを抑制できる。しかしながら、発光部材をスパウト部材の内部に設けると、発光部材から出た光がスパウト部材の内部において反射し、連通孔以外の隙間、具体的には、吐水口部材とスパウト部材の隙間を通って吐水口から外部に漏れ出てしまいデザイン性が低下するとともに、使用者に違和感を与えてしまう恐れがあるが、発光部材よりも下流側において吐水口部材とスパウト部材の内周部を埋める遮光部材を設けることにより吐水口の近くに発光部材を設けた場合であっても吐水口から発光部材の光が漏れることを防止することができ、デザイン性が低下することを抑制することができる。
【０００８】
本発明において、好ましくは、発光部材は、吐水口を上流側に投影した投影領域に設けられる。このように構成することで吐水口側から発光部材を挿入し、固定することができ、施工性が向上する。また、吐水口側から発光部材を挿入し、スパウト内部に固定するために吐水口を大きくすることなく、固定することができるため、デザイン性が低下することを防止できる。
【０００９】
本発明において、好ましくは、発光部材は、吐水口部材に固定されている。発光部材を直接スパウト部材に固定することも考えられるが、スパウト部材の内部空間はスペースが狭く、スパウト部材に固定しようとすると組立て性が悪くなってしまう。そこで、吐水口部材に固定することで、スパウト部材の外部で吐水口部材に発光部材を固定することができるため、狭いスペースしか無い場合であっても組立て性が低下することを抑制できる。
【発明の効果】
【００１０】
本発明によれば、発光部材を設けた場合であっても、デザイン性が低下せず、吐水口から光が漏れることを抑制できる吐水装置を提供することを目的としている。
【図面の簡単な説明】
【００１１】
【図１】本発明の実施形態による吐水装置を示す斜視図である。
【図２】本発明の実施形態による吐水装置の概略構成図である。
【図３】本発明の実施形態による吐水口部材の分解斜視図である。
【図４】本発明の実施形態による吐水装置の断面図である。
【発明を実施するための形態】
【００１２】
次に、添付図面を参照して、本発明の実施形態による吐水装置を説明する。図１は、本発明の実施形態による吐水装置を示す斜視図である。
【００１３】
図１に示すように、吐水装置１は、湯水を受けるボウルＢに向けて吐水する。吐水装置１の外観を構成するスパウト部材２は、概ね長円形断面の金属製の管状部材であり、被取付面（図示しない）から概ね鉛直に立ち上がった後、前方に向けてアーチ状に湾曲し、先端部分が概ね下方に向けられている。
【００１４】
次に図２を参照して、吐水装置１の構成を説明する。図２は、本発明の実施形態による吐水装置１の概略構成図である。
【００１５】
図２に示すように、吐水装置１は、湯水を吐水するための吐水口部材３と、給水源（図示しない）からの湯水を吐水口部材３に導くための流路部材４と、流路部材４を開閉するための開閉弁５と、被検知物（以下、手指と記載する）を検知するための第１センサ６と第２センサ７と、吐水装置の状態を表す発光部材８と、第１センサ６と第２センサ７の信号から吐水装置１の動作を制御する制御部９と、を有する。
【００１６】
第１センサ６は、吐水口部材３の下方に手指が挿入されたことを検知するように構成される。第２センサ７は、第１センサ６とは異なる領域を検知領域とし、第２センサ７の検知領域（図示しない）に手指が挿入されたことを検知するように構成される。  
【００１７】
制御部９は、第１センサ６または第２センサ７からの信号に基づいて、開閉弁５の開閉を制御する。また、制御部９は、吐水装置１の状態を表すために発行部材８に信号を送信し、発光させるように制御する。より具体的に、制御部９は、吐水が水の場合は、発光部材８を赤色に発光させ、湯の場合は、赤色に発光させるように制御する。なお、発光部材８は１つであっても複数あってもよいものとする。
【００１８】
次に図３を参照して、吐水口部材３の構成を説明する。図３は、本発明の実施形態による吐水口部材３の分解斜視図である。
【００１９】
図３に示すように、吐水口部材３は、湯水を吐水するための開口を有する散水板１０と、発光部材８の光が散水板１０側に漏れないようにする遮光部材１１と、散水板１０を固定するための散水板固定部材１２と、給水源から供給される水を一時貯留して、流速分布を均一化させる整流部材１３と、を有する。
【００２０】
整流部材１３は、流路部材４と整流部材１３とを接続する接続部１４と、接続部１４の下流側で、流路断面積が拡大することで流速分布を均一化させる拡大部１５と、を有する。
【００２１】
第２センサ７および発光部材８は、接続部１４と拡大部１５の間である周縁部１６に設けられる。また、第１センサ６は、拡大部１５に設けられる。
【００２２】
次に図４を参照して、吐水装置１の内部構成について説明する。図４は、本発明の実施形態による吐水装置１の断面図である。
【００２３】
図４に示すように、吐水口部材３および流路部材４および発光部材８は、スパウト部材２の内部に設けられる。
【００２４】
流路部材４は、スパウト部材２の内部を通って、整流部材１３の接続部１４に接続され、散水板固定部１２は、整流部材１３の下流側に設けられ、散水板１０を固定するように構成される。
【００２５】
遮光部材１１は、散水板固定部１２と散水板１０との間に設けられ、スパウト部材２の内面と散水板１０または散水板固定部１２と接触し、スパウト部材２の内面と散水板１０または散水板固定部１２との径方向の隙間すなわち内周部１７に隙間が発生しないように固定される。
【００２６】
スパウト部材２は、発光部材８が設けられる近傍、すなわち周縁部１６に発光部材８からの光をスパウト部材２の外部に導くための連通穴２０を有する。
【００２７】
発光部材８は、スパウト部材２の下流端の開口３０を上流側に投影した投影領域Ａの領域内に配置し、吐水口部材３に固定されるように構成されている。
【００２８】
吐水口部材２と流路部材４と発光部材８と第１センサ６および第２センサ７は、スパウト部材２の外部にて固定された状態で、スパウト部材２の下流端の開口３０からスパウト部材２の内部に挿入される。
【００２９】
上述したように、発光部材８や連通孔２０を流路部材４と吐水口部材３の周縁部１６すなわち開口３０の近くに設けることで、使用者は発光部材８からの光を目視しやすくなり、吐水口部材３から吐水される湯水の温度を認識しやすくなる。また、発光部材８をスパウト部材２の内部に設けることにより、発光部材８が吐水装置１の外部に露出することなく、デザイン性が低下することを抑制できる。しかしながら、発光部材８をスパウト部材２の内部に設けると、発光部材８から出た光がスパウト部材２の内部において反射し、連通孔３０以外の隙間、具体的には、吐水口部材３とスパウト部材２の隙間を通ってスパウト部材２から外部に漏れ出てしまいデザイン性が低下するとともに、使用者に違和感を与えてしまう恐れがあるが、発光部材８よりも下流側において吐水口部材３とスパウト部材２の内周部１７を埋める遮光部材１１を設けることにより開口３０の近くに発光部材８を設けた場合であっても開口３０から発光部材８の光が漏れることを防止することができ、デザイン性が低下することを抑制することができる。
【００３０】
さらに、発光部材８は、開口３０を上流側に投影した投影領域に設けられる。このように構成することで開口３０側から発光部材８を挿入し、固定することができ、施工性が向上する。また、開口３０側から発光部材８を挿入し、スパウト部材２内部に固定するために開口３０を大きくすることなく、固定することができるため、デザイン性が低下することを防止できる。
【００３１】
また、発光部材８を直接スパウト部材２に固定することも考えられるが、スパウト部材２の内部空間はスペースが狭く、スパウト部材２に固定しようとすると組立て性が悪くなってしまう。そこで、吐水口部材３に固定することで、スパウト部材３の外部で吐水口部材３に発光部材８を固定することができるため、狭いスペースしか無い場合であっても組立て性が低下することを抑制できる。
【００３２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００３３】
１    吐水装置
２    スパウト部材
３    吐水口部材
４    流路部材
５    開閉弁
６    第１センサ
７    第２センサ
８    発光部材
９    制御部
１０  散水板
１１  遮光部材
１２  散水板固定部材
１３  整流部材
１４  接続部
１５  拡大部
１６  周縁部
１７  内周部
２０  連通孔
３０  開口（吐水口）
Ｂ    ボウル
【図１】
2018135721.tif 000003
【図２】
2018135721.tif 000004
【図３】
2018135721.tif 000005
【図４】
2018135721.tif 000006